(57)【特許請求の範囲】
【請求項１】
電源により供給された電力を徐々に負荷に供給するためのソフトスタート回路と、
前記電源から前記ソフトスタート回路を介して電力を供給され、外部へ照明光を出射するための所定の位置に配置された第１ハロゲンランプと、
前記電源から前記ソフトスタート回路を介して電力を供給されて外部へ照明光を出射するための第２ハロゲンランプと、
前記第１ハロゲンランプと前記第２ハロゲンランプとを前記所定の位置と非所定の位置との間で移動可能に保持するランプ移動手段と、
前記所定の位置に配置されたハロゲンランプを点灯させるための回路の電気状態を検出する電気状態検出手段によって検出された該回路の電気状態の変化に応じて前記第１ハロゲンランプに代えて前記第２ハロゲンランプを前記所定の位置へと配置するよう前記ランプ移動手段を制御するコントローラと、
を備え、
前記コントローラは、前記所定の位置に配置されたハロゲンランプを点灯するための負荷回路内に並列に設けられた放電回路を制御して、前記負荷回路内の出力段コンデンサに蓄えられた電荷を放電させた後に該負荷回路によるハロゲンランプの点灯駆動を制御することを特徴とする内視鏡光源装置。
【発明の詳細な説明】
【０００１】
【発明の属する技術分野】
本発明は内視鏡光源装置、更に詳しくは多灯式における光源の切り換え制御部分に特徴のある内視鏡光源装置に関する。
【０００２】
【従来の技術】
２灯式の光源等で代表される多灯式の内視鏡光源装置は、例えば特公平３−６１１６７号公報に示されるように、照診灯とそれに代わる予備灯を有して構成され、通常は照診灯を点灯動作させて内視鏡に照明光を伝送し、照診灯が断線した非常時のときは照診灯の代わりに予備灯により照明光を内視鏡に供給することのできる光源装置である。
【０００３】
【発明が解決しようとする課題】
しかしながら、従来の多灯式の内視鏡光源装置においては、照診灯が断線して予備灯に切り換わる際、光軸上になくてもランプが点灯してしまう恐れと、照診灯が断線せず観察光量が極端に減少して観察不可能になっても予備灯に切り換わないといった問題がある。
【０００４】
本発明は、上記事情に鑑みてなされたものであり、簡単な構成により、照診灯が断線もしくは寿命期において光量が極端に減少しても、正確に予備灯の光軸を照明光供給光学系の光軸に一致させ、適正な光量の照明光を内視鏡に供給することのできる内視鏡光源装置を提供することを目的としている。
【０００５】
【課題を解決するための手段】
本発明の内視鏡光源装置は、電源により供給された電力を徐々に負荷に供給するためのソフトスタート回路と、前記電源から前記ソフトスタート回路を介して電力を供給され、外部へ照明光を出射するための所定の位置に配置された第１ハロゲンランプと、前記電源から前記ソフトスタート回路を介して電力を供給されて外部へ照明光を出射するための第２ハロゲンランプと、前記第１ハロゲンランプと前記第２ハロゲンランプとを前記所定の位置と非所定の位置との間で移動可能に保持するランプ移動手段と、前記所定の位置に配置されたハロゲンランプを点灯させるための回路の電気状態を検出する電気状態検出手段によって検出された該回路の電気状態の変化に応じて前記第１ハロゲンランプに代えて前記第２ハロゲンランプを前記所定の位置へと配置するよう前記ランプ移動手段を制御するコントローラと、を備え、前記コントローラは、前記所定の位置に配置されたハロゲンランプを点灯するための負荷回路内に並列に設けられた放電回路を制御して、前記負荷回路内の出力段コンデンサに蓄えられた電荷を放電させた後に該負荷回路によるハロゲンランプの点灯駆動を制御することを特徴とする。
【０００７】
【発明の実施の形態】
以下、図面を参照しながら本発明の実施の形態について述べる。
【０００８】
図１ないし図５は本発明の一実施の形態に係わり、図１は内視鏡光源装置の構成を示す構成図、図２は図１の移動板の構成を示す構成図、図３は図１のコントローラの構成を示すブロック図、図４は図３のドライブ回路の構成を示す構成図、図５は図１の内視鏡光源装置の作用を説明するタイミング図である。
【０００９】
（構成）
図１に示すように、本実施の形態の多灯式の内視鏡光源装置１は、通常は、例えばハロゲンランプからなる第１ランプ２を点灯動作させ発光した照明光を集光レンズ３により絞り４を介して内視鏡５のライトガイド６の入射端面に集光させ内視鏡に照明光を供給するようになっている。第１ランプ２は例えばハロゲンランプからなる第２ランプ７と共に、集光レンズ３及び絞り４からなる照明光供給光学系の光軸（以下、照明光の光軸と記す）に対して直角方向に移動自在な移動板８上に配置されている。移動板８は、上記照明光の光軸に対して直角方向に移動自在となるよう、内視鏡光源装置１本体に備えられたリニアガイド（図示せず）上に備えられている。
【００１０】
また、移動板８には、モータ１６の回転軸に備えたピニオン（図示せず）と噛み合うラック（図示せず）により、移動板８には、モータ１６の回転軸駆動が直進移動に変換された伝達されるので、移動板８は、モータ１６の回転により上記光軸に対して直角に移動可能となる。
【００１１】
通常は、第１ランプ２が照明光の光軸上に位置しており、例えば第１ランプ２が断線した場合には移動板８を照明光の光軸に対して直角方向に移動することにより第２ランプ７をが照明光の光軸上に位置させることで、第１ランプ２に代わり第２ランプ７により内視鏡５に照明光を供給するようになっている。
【００１２】
内視鏡５の先端には図示しない撮像素子が設けられており、この撮像素子からの明るさ信号がビデオプロセッサ９を経由して内視鏡光源装置１に供給され、この明るさ信号が内視鏡光源装置１内の比較器１０に出力されるようになっている。比較器１０では、Ｄ／Ａ変換器１１が変換したコントローラ１２からの例えば８ビットの明るさ基準データのアナログの基準信号と、ビデオプロセッサ９を経由した内視鏡５からの明るさ信号とを比較し、適正な明るさの照明光がライトガイド６に供給されるように絞り駆動回路１３により絞り４を駆動し調光するようになっている。
【００１３】
上述したように、通常は第１ランプ２を照明光の光軸上に位置させ、例えば第１ランプ２が断線した場合には移動板８を照明光の光軸に対して直角方向に移動することにより第２ランプ７が照明光の光軸上に位置させるが、その位置決めは、移動板８の移動範囲の所定の位置に配置されている第１マイクロスイッチ１４及び第２マイクロスイッチ１５からの第１位置信号と第２位置信号によりコントローラ１２の制御により行われる。
【００１４】
すなわち、例えば第１ランプ２が照明光の光軸上にあるときは第１マイクロスイッチ１４に移動板８の一方の側面が当接し第１マイクロスイッチ１４がＯＮとなり第１位置信号としてコントローラ１２に出力され、コントローラ１２は第１ランプ２が照明光の光軸上に位置していることを検知している。
【００１５】
一方、例えば第１ランプ２が断線した場合には、コントローラ１２はモータ１６を駆動制御し、移動板８の他方の側面が第２マイクロスイッチ１５に当接するまで移動板８を照明光の光軸に対して直角方向に並進移動させ、第２マイクロスイッチ１５に移動板８の他方の側面が当接し第２マイクロスイッチ１５がＯＮとなり第２位置信号としてコントローラ１２に出力されると、コントローラ１２は第２ランプ７が照明光の光軸上に位置したことを検知し、モータ１６の駆動を停止する。
【００１６】
このように第１マイクロスイッチ１４及び第２マイクロスイッチ１５からの第１位置信号と第２位置信号により、正確に第１ランプ２あるいは第２ランプ７を照明光の光軸上に位置決めできるようになっている。
【００１７】
なお、ランプ移動手段は、図１のものに限らず、例えば図２に示すように、扇型形状の移動板８を回動（揺動）させるランプ移動手段でもよい。
【００１８】
具体的には、モータ１６により基部を中心に移動板８を回動可能とし、移動板８には、扇型形状の対称線（扇の中心角を２分割する仮想線）を中心に第１ランプ２及び第２ランプ７が対称に配置すると共に、移動板８の回転範囲端であって移動板８の両端近傍には、第１マイクロスイッチ１４、第２マイクロスイッチ１５を配置している。
【００１９】
なお、その他の構成及び第１ランプ２及び第２ランプ７の位置決めについては、図１におけるランプ移動手段と同様である。
【００２０】
ところで、第１ランプ２及び第２ランプ７の一方の端子は、第１リレー１７及び第２リレー１８をそれぞれ介しランプ負荷回路１９の出力段コンデンサ２０の＋側に接続され、第１ランプ２及び第２ランプ７の他方の端子はランプ負荷回路１９の出力段コンデンサ２０の−側に接続に接続されており、コントローラ１２は第１リレー１７及び第２リレー１８を制御することで第１ランプ２あるいは第２ランプ７の点灯動作を選択的に制御することができるようになっている。
【００２１】
ランプ負荷回路１９では、コントローラ１２からの点灯制御信号により第１ランプ２あるいは第２ランプ７の点灯駆動が制御され、コントローラ１２には、ランプ負荷回路１９の図示しない電流検出部からの電流検出信号及び出力段コンデンサ２０の両端の電圧を検知する電圧検知回路２１からの検知信号が入力されている。そして、コントローラ１２は、電流検出信号により第１ランプ２あるいは第２ランプ７の断線を監視している。
【００２２】
また、コントローラ１２によりランプ負荷回路１９の点灯駆動の停止がなされた場合、出力段コンデンサ２０には電荷がチャージされている状態であり、第１ランプ２から第２ランプ７に切り換えた際に、チャージ電荷により第２リレー１８を介して第２ランプ７に突入電流が流れることになり、最悪第２ランプ７を断線させてしまう恐れがあり、つまり、第１ランプ２が断線し第２ランプ７に切り換わったとしても、第２ランプ７が点灯しないことが起きる場合がある。
【００２３】
そこで、本実施の形態では、コントローラ１２によりランプ負荷回路１９の点灯駆動の停止がなされた場合、コントローラ１２の制御により放電リレー２２をＯＮとし放電抵抗２３を介してチャージ電荷を放電するようになっている。なお、このときの出力段コンデンサ２０の電圧は電圧検知回路２１により検知されており、コントローラ１２は電圧検知回路２１により放電状態と点灯電圧を監視している。
【００２４】
第１リレー１７及び第２リレー１８に接続されている第１ランプ２及び第２ランプ７の端子は、第１リレー１７及び第２リレー１８の接続の前段より切り換えリレー２４の入力端子にそれぞれ分岐接続されており、コントローラ１２によりいずれか一方が選択されるようになっている。切り換えリレー２４の出力端子はフォトカプラ２５のカソード側に接続され、フォトカプラ２５のアノード側は抵抗２６を介して第１リレー１７及び第２リレー１８の接続の出力段、すなわちランプ負荷回路１９側に接続されている。このような構成により、コントローラ１２は、第１ランプ２及び第２ランプ７の断線を監視し、電圧検知回路２１によりハロゲンランプのフィラメントの状態であるランプ点灯電圧を監視している。
【００２５】
つまり、第１ランプ２及び第２ランプ７（以下、単にランプとも記す）に用いられるハロゲンランプの特性上、ハロゲンランプに電圧を印加させると、突入電流が発生することは一般的に知られている。ランプへの電源突入時に発生する突入電流により、ハロゲンランプが切れたり、またハロゲンランプのフィラメントにダメージを与えて寿命を短くしてしまう。
【００２６】
そのため、ランプへの電源投入時に発生する突入電流を防止し、ハロゲンランプの断線または寿命を延ばすために、ハロゲンランプに徐々に電圧または電流がかかるように、ランプ負荷回路１９にはソフトスタート回路を設けられている。このようなソフトスタート回路を具備したランプ負荷回路１９では、ハロゲンランプに電圧を印加させると、突入電流が生じずランプが切れにくくなる。また、電源投入時にランプへのダメージが小さくなり、ランプの寿命が延びる。
【００２７】
ところが、ソフトスタート回路を具備したランプ負荷回路１９でランプを点灯させると、ランプが寿命末期になると、ランプのフィラメントが細くなって、一旦は断線はするものの、電源を再投入するとフィラメントが溶け、溶けたフィラメント同志が溶着してフィラメントが変形しながら結線され、再度点灯する場合がある。
【００２８】
ランプのフィラメントが溶着した場合、フィラメントの抵抗値が小さくなるため、定電圧制御のランプ負荷回路１９では出力電流が大きくなる。ランプ負荷回路１９にはフの字特性の保護回路が一般的に付いており、ある一定の電流になると、保護回路が働き、電圧を下げ、出力を低下させてしまう。そのため、ランプに与えるダメージは更に小さくなり、ランプの寿命を延命させる。
【００２９】
従って、ランプの印加電圧が降下するため、内視鏡の入射端に入射する照明光も降下してしまう。さらに、前記したように、フィラメントが変形することで、フィラメントが光軸上からずれるため、内視鏡の入射端に入射する光が更に降下する。
【００３０】
そこで、本実施の形態では、後述するように、断線のみならずランプの状態を監視し、例えば第１ランプ２が延命しランプが暗くなる場合においては適切に第２ランプ７に交換することが可能であると共に、例えば第２ランプ７が延命しランプが暗くなる場合においても適切に第２ランプ７を交換することが可能になっている。
【００３１】
また、コントローラ１２には、ラッチングリレーからなる点灯記憶リレー２７が接続されており、コントローラ１２は前回のランプ負荷回路１９の点灯駆動制御状態を、例えば点灯記憶リレー２７がＨｉｇｈのときは第１ランプ２が点灯していた状態、点灯記憶リレー２７がＬｏｗのときは第２ランプ７が点灯していた状態として記憶するようになっている。
【００３２】
さらに、コントローラ１２は、上記の種々の制御内容及びランプ（第１ランプ２及び第２ランプ７）の状態を表示パネル２８に表示することで、使用者に告知できるようになっている。
【００３３】
コントローラ１２は、図３に示すように、メインコントローラ３１及びドライブ回路３２より構成され、ドライブ回路３２はメインコントローラ３１により制御され、第１マイクロスイッチ１４及び第２マイクロスイッチ１５からの第１位置信号と第２位置信号を入力すると共に、切り換えリレー２４、フォトカプラ２５及び電圧検知回路２１等からなるランプ状態検知手段３３からの信号により、モータ１６、ランプ負荷回路１９、放電抵抗２２と放電リレー２３からなる放電手段３４及び第１リレーと第２リレーからなるランプ切換手段３５を駆動するようになっている。
【００３４】
ドライブ回路３２は、図４に示すように、複数のドライバＩＣ４１の出力を一つの信号で制御するようになっており、メインコントローラ３１により制御されるリセット回路４２及びタイマ回路４３の出力の論理和である制御信号を一つのトランジスタ４４のＯＮ、ＯＦＦにより制御するようになっている。
【００３５】
（作用）
内視鏡光源装置１の電源を立ち上げると、コントローラ１２は、ラッチングリレーからなる点灯記憶リレー２７の状態を読み込み、前回使用されていたランプが第１ランプ２か第２ランプ７かを検知する。通常は第１ランプ２を使用しているため、以下、第１ランプ２が前回使用されていたものとして説明する。なお、第２ランプ７が選択されていた場合でも以下の作用は同様である。
【００３６】
コントローラ１２は、点灯記憶リレー２７の状態を読み込み、前回使用されていたランプが第１ランプ２であると判断すると、第２リレー１８をＯＮし第１リレー１７をＯＦＦして第２ランプ７を点灯可能状態とする。このとき放電リレー２３はＯＦＦであり、切り換えリレー２４は第１ランプ２側に切り換えられている。
【００３７】
そして、コントローラ１２は点灯制御信号によりランプ負荷回路１９に対して点灯指示を行い、ある一定期間第２ランプ７を点灯させる。この一定期間の間に、電圧検知回路２１は、第２ランプ７の点灯電圧を監視し、第２ランプ７のフィラメントが変形溶着していないかの検知を行い、コントローラ１２は点灯電圧を読み込む。
【００３８】
次に、コントローラ１２は、点灯制御信号により消灯指示を行い、第２ランプ７を消灯させ、放電リレー２３をＯＮし、ランプ負荷回路１９内の出力段コンデンサ２０の電荷を放電させる。
【００３９】
また、コントローラ１２は、第１マイクロスイッチ１４からの第１位置信号がＯＮになっているかどうか確認し、ＯＮならば第１ランプ２が照明光の光軸上にあると認識し、ＯＮでないならばモータ１６を駆動し第１マイクロスイッチ１４がＯＮとなるように移動板８を移動させ、第１ランプ２を照明光の光軸上に位置させる。
【００４０】
また、移動板８の移動と同時に、第１リレー１７をＯＮすると共に第２リレー１８をＯＦＦして、第１ランプ２を点灯可能状態とする。このとき、放電リレー２３はＯＦＦであり、切り換えリレー２４は第２ランプ７側に切り換えられている。そして、コントローラ１２は、点灯制御信号によりランプ負荷回路１９に対して点灯指示を行い、この結果、第１ランプ２が点灯する。そして、比較器１０でＤ／Ａ変換器１１が変換したコントローラ１２からの例えば８ビットの明るさ基準データのアナログの基準信号と、内視鏡５からの明るさ信号とを比較し、適正な明るさの照明光がライトガイド６に供給されるように絞り駆動回路１３により絞り４を駆動し調光する。
【００４１】
内視鏡光源装置１の電源立ち上げ時、コントローラ１２は、第１ランプ２と第２ランプ７の印加電圧を電圧検知回路２１を介して読み込むと共に、ランプ負荷回路１９からの電流検出信号により第１ランプ２と第２ランプ７のフィラメントが変形溶着または断線が生じた場合には検知できるようになっている。
【００４２】
一方、内視鏡光源装置１の通常使用時の第２ランプ７に関しては、第２リレー１８がＯＦＦで切り換えリレー２４が第２ランプ７側に切り換えられているので、抵抗２６により微小電流がランプ負荷回路１９からフォトカプラ２５、切り換えリレー２４及び第２ランプ７を流れるため、フォトカプラ２５で絶縁した状態でこの微小電流をコントローラ１２が検知する。もしこのときフォトカプラ２５から検知信号が出力されなければ、すなわち微小電流が流れないとすると、第２ランプ７は断線していることになるので、コントローラ１２は表示パネル２８に第２ランプ７の断線を告知するための表示を行い、使用者に警告する。
【００４３】
また、電圧検知回路２１から検知信号が所定値以下である場合には、第１ランプ２のフィラメントが溶着し抵抗値が減少し第１ランプ２は寿命となっている（必要な光量を得ることのできない）状態と判断し、同様に使用できない旨を告知する表示を表示パネル２８に行い、使用者に警告する。
【００４４】
以下は、第２ランプ７は正常で、第１ランプ２が使用時に断線した際の作用について説明する。なお、第１ランプ２のフィラメントが変形溶着した場合でも以下の作用は同様である。
【００４５】
図５（ａ）に示すように、コントローラ１２は、ランプ負荷回路１９からの電流検出信号よりランプ状態を検知し、電流検出信号がＯＦＦになると断線と判断し、表示パネル２８に第１ランプ２の断線を告知するための表示を行い、使用者に警告する。そして、点灯制御信号によりランプ負荷回路１９の点灯駆動を停止する（図５（ｂ））と共に、放電リレー２３をＯＮする（図５（ｃ））。これによりランプ負荷回路１９の出力段コンデンサ２０の電圧は、図５（ｆ）に示すように、所定の時定数で０Ｖになる。
【００４６】
そして、ランプ負荷回路１９の出力段コンデンサ２０の電圧が０Ｖ（すなわちチャージ電荷が放電された状態）になると、第１リレー１７をＯＦＦし第２リレー１８をＯＮにする（図５（ｄ）及び図５（ｅ））。その後所定時間経過後に、放電リレー２３をＯＦＦする（図５（ｃ））と共に、点灯制御信号によりランプ負荷回路１９の点灯駆動を開始する（図５（ｂ））。
【００４７】
また、モータ１６に対して移動駆動信号を出力する（図５（ｉ））ことで、モータ１６を駆動し照明光の光軸上のランプを第１ランプ２から第２ランプ７に切り換える。この状態は、第１マイクロスイッチ１４からの第１位置信号（図５（ｇ））と第２マイクロスイッチ１５からの第２位置信号（図５（ｈ））とにより、コントローラ１２が監視している。
【００４８】
この結果、ランプ負荷回路１９の出力段コンデンサ２０の電圧は、図５（ｆ）に示すように、所定の時定数で所定の電圧になり、この電圧が第２ランプ７に印加され、第２ランプ７から照明光が内視鏡５に供給される。このとき、上述したように第２ランプ７は断線や寿命といった不具合が予めチェックされているので、所望の光量の照明光を内視鏡５に供給することができる。
【００４９】
なお、第１マイクロスイッチ１４からの第１位置信号がＯＦＦ（図５（ｊ））となった後、第２マイクロスイッチ１５からの第２位置信号がＯＮとならないとき（例えば、モータ１６あるいは第２マイクロスイッチ１５の不具合が生じたとき：図５（ｋ））は、点灯制御信号によりランプ負荷回路１９の点灯駆動をある所定の期間後、停止する（図５（ｌ））と共に、放電リレー２３をＯＮしランプ負荷回路１９の出力段コンデンサ２０の電荷を放電させる（図４（ｎ））。また、コントローラ１２は、モータ１６に対する移動駆動信号の出力を所定時間経過後に停止させ（図５（ｍ））、ランプの移動ができない旨の表示を表示パネル２８に行い、使用者に警告する。
【００５０】
（効果）
このように本実施の形態では、第１マイクロスイッチ１４及び第２マイクロスイッチ１５からの第１位置信号と第２位置信号により、第１ランプ２あるいは第２ランプ７を照明光の光軸上に位置決めしているので、第１ランプ２が断線もしくは変形溶着して第２ランプ７に切り換えた場合にも、正確に第２ランプ７の光軸を照明光供給光学系の光軸に一致させることができ、適正な光量の照明光を内視鏡に供給することができる。
【００５１】
また、内視鏡光源装置１を使用する毎に予備ランプである第２ランプ７の断線や寿命といった不具合を予めチェックしているので、第１ランプ２が断線もしくは寿命に至った場合でも、第２ランプ７の光軸を照明光供給光学系の光軸に一致させることができ、確実に適正な光量の照明光を内視鏡に供給することができる。
【００５２】
［付記］
（付記項１）  複数のハロゲンランプを具備した内視鏡光源装置において、
前記ハロゲンランプからの光を内視鏡に供給するランプ光学手段と、
ソフトスタート回路を具備し前記ハロゲンランプを点灯させるランプ点灯手段と、
前記ハロゲンランプのランプ状態を検出するランプ状態検出手段と、
前記ハロゲンランプの前記ランプ光学手段に対する位置を検出するランプ位置検出手段と、
前記ランプ位置検出手段の検出結果に基づき、前記ハロゲンランプを前記ランプ光学手段の所定の位置に移動するランプ移動手段と
を備えたことを特徴とする内視鏡光源装置。
【００５３】
（付記項２）  前記ランプ状態検出手段は、前記ハロゲンランプの断線と前記ハロゲンランプの印加電圧を検知する検知手段を有する
ことを特徴とする付記項１に記載の内視鏡光源装置。
【００５４】
付記項２の内視鏡光源装置では、一方のランプが寿命末期になってフィラメントが変形し、印加電圧が降下した場合でも、適切に他方のランプに切り換えることを可能とする。
【００５５】
（付記項３）  ランプ点灯手段は、前記ソフトスタート回路に蓄えられた電荷を放電する放電手段を有する
ことを特徴とする付記項２に記載の内視鏡光源装置。
【００５６】
付記項３の内視鏡光源装置では、切り換えられたランプに対して突入電流によるダメージを与えない、且つ断線させないことを可能とする。
【００５７】
（付記項４）  前記検知手段は、電源の立ち上げ時毎に、前記ハロゲンランプの断線と前記ハロゲンランプの印加電圧を検知する
ことを特徴とする付記項２に記載の内視鏡光源装置。
【００５８】
付記項４の内視鏡光源装置では、電源立ち上げ時に複数のハロゲンランプの状態を検出し、ハロゲンランプそれぞれの状態を確実に操作者に表示し、告知することを可能とする。
【００５９】
【発明の効果】
以上説明したように本発明の内視鏡光源装置によれば、簡単な構成により、照診灯が断線もしくは寿命期において光量が極端に減少しても、正確に予備灯の光軸を照明光供給光学系の光軸に一致させ、適正な光量の照明光を内視鏡に供給することができるという効果がある。
【図面の簡単な説明】
【図１】本発明の一実施の形態に係る内視鏡光源装置の構成を示す構成図
【図２】図１の移動板の構成を示す構成図
【図３】図１のコントローラの構成を示すブロック図
【図４】図３のドライブ回路の構成を示す構成図
【図５】図１の内視鏡光源装置の作用を説明するタイミング図
【符号の説明】
１…内視鏡光源装置
２…第１ランプ
３…集光レンズ
４…絞り
５…内視鏡
６…ライトガイド
７…第２ランプ
８…移動板
９…ビデオプロセッサ
１０…比較器
１１…Ｄ／Ａ変換器
１２…コントローラ
１３…絞り駆動回路
１４…第１マイクロスイッチ
１５…第２マイクロスイッチ
１６…モータ
１７…第１リレー
１８…第２リレー
１９…ランプ負荷回路
２０…出力段コンデンサ
２１…電圧検知回路
２２…放電リレー
２３…放電抵抗
２４…切り換えリレー
２５…フォトカプラ
２６…抵抗
２７…点灯記憶リレー
２８…表示パネル
【図１】
0003805489.tif 000002
【図２】
0003805489.tif 000003
【図３】
0003805489.tif 000004
【図４】
0003805489.tif 000005
【図５】
0003805489.tif 000006